(57)【要約】【課題】入力電圧の許容範囲が広くて点灯回路及び制御部に加わるストレスを低減する照明器具を提供する。【解決手段】上記課題を解決するために、本発明の照明器具１は、ＬＥＤ５ａ，５ｂを点灯させる点灯回路６と、制御回路７と、スイッチング電源部１８とを備える。制御回路７は、明るさセンサ３ａの出力から求めた明るさが所定値よりも暗くなると、コンセントからプラグを介して供給される電力でＬＥＤ５ａを点灯させるように点灯回路６を制御する。制御回路７は、操作部を用いて点灯操作が行われると電池１２から供給される電力でＬＥＤ５ｂを点灯させるように点灯回路６を制御する。スイッチング電源部１８は、コンセントからプラグを介して入力される電圧をスイッチングすることによって所定電圧値の直流電圧に変換し、点灯回路６及び制御回路７に供給する。【選択図】図１
2015106508.tif 000002
【特許請求の範囲】
【請求項１】
商用電源のコンセントに着脱自在に接続されるプラグと、
照明負荷を点灯させる点灯回路と、
前記照明負荷を点灯又は消灯させるために操作される操作部と、
周囲の明るさに応じて出力の大きさが変化する照度変換部と、
前記照度変換部の出力から求めた明るさが所定値よりも暗くなると、前記コンセントから前記プラグを介して供給される電力で前記照明負荷を点灯させるように前記点灯回路を制御し、前記操作部を用いて点灯操作が行われると電池から供給される電力で前記照明負荷を点灯させるように前記点灯回路を制御する制御部と、
前記コンセントから前記プラグを介して入力される電圧をスイッチングすることによって所定電圧値の直流電圧に変換し、前記点灯回路及び前記制御部に供給するスイッチング電源部と
を備えることを特徴とする照明器具。
【発明の詳細な説明】
【技術分野】
【０００１】
本発明は一般に照明器具、より詳細には商用電源のコンセントに差し込まれて通路の床面を照明するナイトライトに関する。
【背景技術】
【０００２】
従来、通路の壁面のコンセントに差し込まれて、周囲の暗さや人の通行を検知して通路の足元を照明する足元灯があった（例えば特許文献１参照）。特許文献１に記載の足元灯は、一次電池を備えており、コンセントから取り外して一次電池を電源とする携帯電灯として用いることができる。
【先行技術文献】
【特許文献】
【０００３】
【特許文献１】実用新案登録第３１０８６２３号公報
【発明の概要】
【発明が解決しようとする課題】
【０００４】
特許文献１に記載の足元灯は携帯電灯として用いることができるため、使用者が例えば海外旅行や海外出張等で足元灯を海外に持ち出す可能性がある。使用者が特許文献１に記載の足元灯を海外の商用電源のコンセントに接続した場合、日本の商用電源の定格電圧と異なる過大な電圧が足元灯に供給されて、足元灯の制御回路及び点灯回路がストレスを受ける可能性があった。
【０００５】
本発明は上記課題に鑑みて為されており、入力電圧の許容範囲が広くて点灯回路及び制御部に加わるストレスを低減する照明器具を提供することを目的とする。
【課題を解決するための手段】
【０００６】
上記課題を解決するために、本発明の照明器具は、プラグと、点灯回路と、操作部と、照度変換部と、制御部と、スイッチング電源部とを備える。プラグは、商用電源のコンセントに着脱自在に接続される。点灯回路は、照明負荷を点灯させる。操作部は、前記照明負荷を点灯又は消灯させるために操作される。照度変換部は、周囲の明るさに応じて出力の大きさが変化する。制御部は、前記照度変換部の出力から求めた明るさが所定値よりも暗くなると、前記コンセントから前記プラグを介して供給される電力で前記照明負荷を点灯させるように前記点灯回路を制御する。制御部は、前記操作部を用いて点灯操作が行われると電池から供給される電力で前記照明負荷を点灯させるように前記点灯回路を制御する。スイッチング電源部は、前記コンセントから前記プラグを介して入力される電圧をスイッチングすることによって所定電圧値の直流電圧に変換し、前記点灯回路及び前記制御部に供給する。
【発明の効果】
【０００７】
本発明によれば、スイッチング電源部が、商用電源のコンセントからプラグを介して入力される電圧をスイッチングすることによって所定電圧値の直流電圧に変換する。そのため、入力電圧の許容範囲が広がり、点灯回路及び制御部には所定電圧値の直流電圧が印加されるから、点灯回路及び制御部に加わるストレスを低減できる。
【図面の簡単な説明】
【０００８】
【図１】本実施形態における照明器具の概略的な回路を示し、（ａ）は概略的な回路ブロック図、（ｂ）は要部の概略的な回路ブロック図である。
【図２】本実施形態における照明器具を示し、（ａ）は要部を説明する正面図、（ｂ）は要部を説明する右断面図、（ｃ）は上面図である。
【図３】本実施形態における照明器具を示し、（ａ）は左側面図、（ｂ）は正面図、（ｃ）は要部を説明する分解斜視図である。
【図４】（ａ）〜（ｇ）は、本実施形態における照明器具の要部の動作を説明する図である。
【発明を実施するための形態】
【０００９】
以下に、本実施形態の照明器具について、図１〜図４を参照して説明する。尚、以下の説明では図２（ａ）に示す向きを基準として上下左右の方向を規定し、図２（ｂ）における左方向を前方向、図２（ｂ）における右方向を後方向として説明する。
【００１０】
本実施形態の照明器具は、例えば壁面に設けられたコンセントに接続され、周囲が暗くなると床面を照らす足元灯として用いられる。照明器具は電池を備えており、コンセントから取り外して電池を電源とするハンディライト（携帯電灯）として用いることができる。
【００１１】
本実施形態の照明器具１は、図１（ａ）に示すように、スイッチング電源部１８と、点灯回路６と、ＬＥＤ（Light Emitting Diode）５ａ，５ｂ（照明負荷）と、ＬＥＤ９ａ（点灯部９）と、制御回路７（制御部）と、電池１２とを備えている。さらに照明器具１は、停電検知回路１１と、電圧測定回路１４とを備えている。
【００１２】
停電検知回路１１は、スイッチング電源部１８の一次側に入力される電圧を監視することによって、商用電源１７が供給されているか否かを検知する。停電検知回路１１は、商用電源１７が供給されていると、制御回路７に信号ＳＮ１を出力する。
【００１３】
点灯回路６は、レギュレータ１５と、昇圧回路１６と、スイッチＳＷ１〜ＳＷ３とを備えている。レギュレータ１５にはスイッチング電源部１８又は昇圧回路１６の何れか一方から直流電圧が入力される。レギュレータ１５は、入力電圧の変動を抑制して制御回路７及びＬＥＤ５ａ，５ｂ，９ａに出力する。尚、レギュレータ１５とスイッチング電源部１８との間、及びレギュレータ１５と昇圧回路１６との間にはそれぞれ、例えば逆流防止用のダイオード（図示せず）が接続されている。
【００１４】
点灯回路６には、照明用のＬＥＤ５ａ，５ｂと、電池１２の残容量の低下を報知するために設けられたＬＥＤ９ａがそれぞれ接続されている。ＬＥＤ５ａはスイッチＳＷ１を介してレギュレータ１５に接続している。同様に、ＬＥＤ５ｂはスイッチＳＷ２を介してレギュレータ１５に接続していて、ＬＥＤ９ａはスイッチＳＷ３を介してレギュレータ１５に接続している。スイッチＳＷ１〜ＳＷ３はそれぞれ制御回路７によってオン／オフ操作される。
【００１５】
昇圧回路１６は、例えば昇圧チョッパ回路等で構成され、電池１２の電圧を昇圧してレギュレータ１５に出力する。昇圧回路１６の動作は、制御回路７から入力される信号ＳＮ２によって制御される。
【００１６】
電池１２は、例えばマンガン乾電池やアルカリ・マンガン乾電池等の単三型の一次電池であり、昇圧回路１６の１次側に接続されている。
【００１７】
照明器具１は、電池１２の出力電圧を測定する電圧測定回路１４を備える。電圧測定回路１４は、所定期間毎に電池１２の電圧をＡ／Ｄ変換し、制御回路７に出力する。
【００１８】
制御回路７は、例えばマイクロコンピュータを備えていて、組み込みのプログラムを実行することによって、点灯回路６の制御が実現される。制御回路７の電源端子ＶＤＤには、レギュレータ１５から直流電圧が入力されている。
【００１９】
制御回路７には、切替スイッチ３１と、点灯スイッチ８（操作部）と、明るさセンサ３ａ（照度変換部）が接続されている。
【００２０】
明るさセンサ３ａは、周囲の明るさを検知する素子（例えば、フォトダイオード、フォトトランジスタ等）で構成される。明るさセンサ３ａの出力電流は周囲の明るさに応じて変化する。
【００２１】
切替スイッチ３１は、左右方向に移動自在なスライドスイッチであり、ナイトライト機能を有効にするか否かを切り替えるためのスイッチである。切替スイッチ３１がナイトライト機能を有効にするように設定された状態で、明るさセンサ３ａの出力電流から求めた周囲の明るさが所定値よりも暗くなると、制御回路７はスイッチＳＷ１をオン状態にしてＬＥＤ５ａを点灯させる。切替スイッチ３１がナイトライト機能を有効にするように設定された状態で、明るさセンサ３ａの出力電流から求めた周囲の明るさが所定値よりも明るくなると、制御回路７はスイッチＳＷ１をオフ状態にしてＬＥＤ５ａを消灯させる。尚、ＬＥＤ５ａの点灯／消灯を切り替えるしきい値（上記の所定値）にヒステリシスを設けてもよい。
【００２２】
一方、切替スイッチ３１がナイトライト機能を無効にするように設定された状態では、明るさセンサ３ａの出力電流から求めた周囲の明るさが所定値よりも暗くなっても、制御回路７はスイッチＳＷ１のオフ状態を維持し続ける。
【００２３】
スイッチング電源部１８は、図１（ｂ）に示すように、スイッチングＩＣ（Integrated Circuit）１８ａと、整流平滑回路１８ｂ，１８ｅと、１次コイル１８ｃ及び２次コイル１８ｄ，１８ｇを有するトランス１８ｆを備えている。スイッチング電源部１８の入力端子は、商用電源のコンセントに着脱自在に接続されるプラグ４に電気的に接続されている。スイッチング電源部１８は、フライバック・コンバータ方式のスイッチング電源であり、プラグ４を介して入力される交流電圧を所定電圧値の直流電圧に変換して出力する。
【００２４】
整流平滑回路１８ｂは、交流電圧を全波整流する全波整流回路（図示せず）と、その整流出力を平滑化するフィルタ回路（図示せず）とで構成される。整流平滑回路１８ｂの入力端子はプラグ４に接続される。整流平滑回路１８ｂの出力端子間には、スイッチングＩＣ１８ａが備える半導体スイッチ（図示せず）と１次コイル１８ｃとが直列に接続されている。整流平滑回路１８ｂは、プラグ４から入力される交流電圧を全波整流し、その整流出力を平滑化して出力する。
【００２５】
１次コイル１８ｃはトランス１８ｆの１次側を構成しており、トランス１８ｆの２次側には、１次コイル１８ｃと巻方向が逆向きの２次コイル１８ｄ，１８ｇが設けられている。２次コイル１８ｄの出力端子間には、整流平滑回路１８ｅが接続されている。２次コイル１８ｇの出力端子間には、スイッチングＩＣ１８ａが接続されている。
【００２６】
整流平滑回路１８ｅは、２次コイル１８ｄの両端電圧を半波整流する半波整流回路（図示せず）と、その出力を平滑化するフィルタ回路（図示せず）とを備える。整流平滑回路１８ｅは、２次コイル１８ｄの両端間に発生するパルス状の電圧を半波整流した後、平滑化して、ほぼ一定の直流電圧に変換する。
【００２７】
スイッチングＩＣ１８ａは、整流平滑回路１８ｂと１次コイル１８ｃとの間をオン／オフする半導体スイッチ（図示せず）と、半導体スイッチのスイッチングを制御する制御回路とを集積化したＩＣである。半導体スイッチは、例えばＭＯＳＦＥＴ（metal-oxide-semiconductor field-effecttransistor）やバイポーラトランジスタ等で構成される。スイッチングＩＣ１８ａは、２次コイル１８ｄに発生する電圧を検知する２次コイル１８ｇを有している。スイッチングＩＣ１８ａは、２次コイル１８ｇの両端電圧から推定した整流平滑回路１８ｅの出力電圧Ｖｄｃが所定電圧値となるように、半導体スイッチをＰＷＭ（Pulse Width Modulation）制御する。
【００２８】
ここで、スイッチング電源部１８の動作について図４を参照して説明する。
【００２９】
壁等に設けられた商用電源１７のコンセント（図示せず）にプラグ４を差し込むと、商用電源１７から供給される交流電圧が整流平滑回路１８ｂに入力される。整流平滑回路１８ｂは、商用電源１７から供給される交流電圧（図４（ａ）参照）を全波整流した後（図４（ｂ）参照）、その整流出力を平滑化して、ほぼ一定の直流電圧に変換する（図４（ｃ）参照）。
【００３０】
スイッチングＩＣ１８ａは、フィードバックされた２次コイル１８ｇの電圧値から２次コイル１８ｄの電圧値を検知し、出力電圧Ｖｄｃが所定電圧値となるように、半導体スイッチ（図示せず）をＰＷＭ制御する。半導体スイッチのＰＷＭ制御によって１次コイル１８ｃにはパルス状の電圧（図４（ｄ）参照）が印加される。
【００３１】
２次コイル１８ｄには、入力電圧を巻線比に応じて降圧したパルス状の交流電圧が発生する（図４（ｅ）参照）。整流平滑回路１８ｅは、２次コイル１８ｄの両端電圧を半波整流した後（図４（ｆ）参照）、その整流出力を平滑化した出力電圧Ｖｄｃを出力する（図４（ｇ）参照）。
【００３２】
スイッチングＩＣ１８ａは、フィードバックされた２次コイル１８ｇの電圧値から検知される２次コイル１８ｄの電圧値に基づいて、出力電圧Ｖｄｃが所定電圧値の直流電圧となるように半導体スイッチのＰＷＭ制御を行うから、入力電圧の許容範囲が広がる。定格電圧の異なる商用電源１７からスイッチング電源部１８に電力が供給された場合、スイッチング電源部１８は出力電圧が所定電圧値となるようにスイッチング動作を行う。そのため、点灯回路６及び制御回路７には過大な電圧が印加されにくくなり、点灯回路６及び制御回路７に加わるストレスが低減される。
【００３３】
次に、照明器具１の構造について図２〜図３を参照して説明する。
【００３４】
器体２は、図３（ａ）（ｂ）に示すように、前面側が開口した矩形箱状のボディ２２と、前面が矩形状に形成されてボディ２２の前面の開口部を覆うカバー２１とを備える。
【００３５】
カバー２１の正面における上側部分には、カバー２１の下側部位よりも前側に突出している張出部２１ａが形成されている。カバー２１における張出部２１ａを除く前面部分には、矩形状に開口した開口部２１ｃが設けられていて、開口部２１ｃを塞ぐように導光板１３がカバー２１に取り付けられている。
【００３６】
導光板１３は、前面が矩形の光取り出し部１３ａと、光取り出し部１３ａの上面から上側に突き出るように形成されて張出部２１ａの内側に挿入される光入射部１３ｂとを備えている。光入射部１３ｂの入射面（本実施形態では上側面）は、それぞれのＬＥＤ５ａ，５ｂに対向するように設けられており、ＬＥＤ５ａ，５ｂから光入射部１３ｂの入射面に放射された光を光取り出し部１３ａに導く。光取り出し部１３ａは、張出部２１ａの前面と面一になるように形成されていて、開口部２１ｃから外部に露出している。光取り出し部１３ａの背面には光取り出し部１３ａ内を通る光を拡散する光拡散部１９が設けられていて、光拡散部１９で拡散した光が光取り出し部１３ａの前面から外部に放射される。
【００３７】
張出部２１ａの内側には、図２（ａ）（ｂ）に示すようにサブ基板５１が配置されている。サブ基板５１は、器体２の上面に平行するように器体２内部の上面付近に取り付けられていて、メイン基板１０に電気的に接続されている。
【００３８】
サブ基板５１には、照明用のＬＥＤ５ａ，５ｂと、報知用のＬＥＤ９ａと、明るさセンサ３ａと、切替スイッチ３１が実装されている。ＬＥＤ９ａはサブ基板５１の上面の一端側（本実施形態では左側）に実装されている。明るさセンサ３ａはサブ基板５１の上面の他端側（本実施形態では右側）に実装されている。切替スイッチ３１はサブ基板５１の上面中央に実装されていて、ＬＥＤ５ａ，５ｂはそれぞれサブ基板５１の下側表面に実装されている。ＬＥＤ５ａは、ナイトライトとして使用される場合に発光し、ＬＥＤ５ａの発光色はおよそ２７００〜３０００Ｋ程度の電球色である。ＬＥＤ５ｂはハンディライトとして使用される場合に発光し、ＬＥＤ５ｂの発光色はおよそ４０００Ｋ程度の白色である。尚、ＬＥＤ５ａ，５ｂの放射光の色温度はそれぞれ上記の色温度に限定されず、使用用途に合わせて適宜変更が可能である。
【００３９】
器体２の上面には、図２（ｃ）に示すように、透光窓３ｂ，９ｂと、切替スイッチ３１の操作部に被せられた切替つまみ３２を露出させるための孔２１ｂが設けられている。
【００４０】
透光窓９ｂは、例えばアクリル樹脂等の透光性材料で形成され、カバー２１の上面においてＬＥＤ９ａに対向する部位に設けられていて器体２の上側に露出している。ＬＥＤ９ａが点灯すると、ＬＥＤ９ａの光は透光窓９ｂを透過してカバー２１の上面から外部に放射される。そのため、プラグ４がコンセントに接続された状態で、電池１２の残容量が低下してＬＥＤ９ａが点灯すると、透光窓９ｂからＬＥＤ９ａの光が放射される。本実施形態では、ＬＥＤ９ａと透光窓９ｂとで点灯部９が構成されている。
【００４１】
透光窓３ｂは、例えばアクリル樹脂等の透光性材料で形成され、カバー２１の上面における明るさセンサ３ａに対向する部位に設けられていて、器体２の上側に露出している。器体２の周囲の光が透光窓３ｂを透過して明るさセンサ３ａに入射すると、明るさセンサ３ａの出力電流は周囲の明るさに応じて変化する。
【００４２】
切替つまみ３２は、切替スイッチ３１の操作部を覆った状態で、器体２の上面の孔２１ｂから外部に露出するように設けられている。切替つまみ３２を左右方向にスライド移動させることにより、切替スイッチ３１が切り替えられる。切替つまみ３２がスライド方向の一端側（本実施形態では図２（ａ）の右側）に設定されているとナイトライト機能が有効になり、切替つまみ３２がスライド方向の他端側（本実施形態では図２（ａ）の左側）に設定されているとナイトライト機能が無効になる。
【００４３】
器体２における左右方向の一方の側面（本実施形態では器体２の左側面）には、点灯スイッチ８が設けられている。点灯スイッチ８は、商用電源１７から電力が供給されていない状態でＬＥＤ５ｂを点灯／消灯させるスイッチである。点灯スイッチ８は、例えばプッシュスイッチで構成される。商用電源１７から電力が供給されていない状態で、点灯スイッチ８を一回押すごとに制御回路７がＬＥＤ５ｂの点灯／消灯を切り替える。尚、点灯スイッチ８は、プッシュスイッチに限定されず、切替後の状態が保持される適宜の種類のスイッチでよい。
【００４４】
ボディ２２の背面にはプラグ４が取り付けられている。プラグ４は、プラグ４の先端部がボディ２２の背面方向（図３（ａ）参照）を向く位置と、上面方向（図２（ｂ）参照）を向く位置との間で回転自在に支持されている。プラグ４を商用電源１７のコンセント（図示せず）から引き抜いた状態で、プラグ４の先端部が上面方向を向くようにプラグ４を図３（ａ）の矢印Ａ１方向に回転させると、ボディ２２に設けた溝４１内にプラグ４を収納することができる。
【００４５】
器体２の背面の下側には、図３（ｃ）に示すように、電池１２を収納する収納凹部２３ａが設けられている。この収納凹部２３ａは、ボディ２２に着脱自在に取り付けられる蓋２３ｂによって塞がれる。電池１２は、入手性のよい一次電池であり、電池１２の長手方向が器体２の左右方向に沿うように収納凹部２３ａに収納される。
【００４６】
器体２の内側には、図２（ｂ）に示すように、メイン基板１０が収納されている。メイン基板１０には、点灯回路６と、制御回路７と、スイッチング電源部１８と、停電検知回路１１と、電圧測定回路１４を構成する回路部品が実装されている。メイン基板１０は、サブ基板５１と、電池１２と、プラグ４にそれぞれ電気的に接続している。
【００４７】
ここで、本実施形態の照明器具１の動作を説明する。
【００４８】
まず、切替つまみ３２がナイトライト機能を有効にする位置に切り替えられている場合の動作を説明する。
【００４９】
器体２は商用電源１７のコンセント（図示せず）にプラグ４を接続した状態で、壁面（図示せず）に取り付けられる。スイッチング電源部１８は、商用電源１７から供給される交流電圧を所定の直流電圧に変換して点灯回路６に出力する。停電検知回路１１は、スイッチング電源部１８の一次側に入力される電圧を監視し、商用電源１７が供給されている状態では、制御回路７に信号ＳＮ１を出力する。制御回路７は、信号ＳＮ１が入力されると昇圧回路１６の昇圧動作を停止状態にする。制御回路７及び点灯回路６はそれぞれ、商用電源１７から供給される電力で動作する。
【００５０】
商用電源１７から電力が供給されている状態で、明るさセンサ３ａの出力電流から求めた周囲の明るさが所定値よりも暗くなると、制御回路７はスイッチＳＷ１をオン状態にしてＬＥＤ５ａを自動的に点灯させる。ＬＥＤ５ａが光入射部１３ｂに放射した光は光拡散部１９で拡散され、光取り出し部１３ａから外部に放射される。導光板１３の光取り出し部１３ａから放射された光が照明器具１の周囲の床面（図示せず）を照らす。ＬＥＤ５ａの発光色は電球色であるため、夜間に床面を照らしていてもまぶしく感じにくい。一方、商用電源１７から電力が供給されている状態で、明るさセンサ３ａの出力電流から求めた周囲の明るさが所定値よりも明るくなると、制御回路７はスイッチＳＷ１をオフ状態にしてＬＥＤ５ａを自動的に消灯させる。
【００５１】
一方、切替スイッチ３１がナイトライト機能を無効にする位置に切り替えられている場合、制御回路７は、明るさセンサ３ａの出力電流から求めた周囲の明るさが所定値よりも暗くなってもスイッチＳＷ１のオフ状態を維持し、ＬＥＤ５ａの消灯状態を維持する。
【００５２】
次に、電池１２が供給する電力で動作する場合の照明器具１の動作について説明する。
【００５３】
商用電源１７のコンセント（図示せず）からプラグ４を引き抜くか、又は停電が発生すると、停電検知回路１１は、信号ＳＮ１の出力を停止する。制御回路７は、停電検知回路１１から信号ＳＮ１が入力されなくなると、昇圧回路１６に昇圧動作を行わせ、昇圧回路１６からレギュレータ１５に所定の直流電圧を出力させる。制御回路７及び点灯回路６は、電池１２から供給される電力で動作する。制御回路７は昇圧回路１６を動作させた後、スイッチＳＷ２をオン状態にしてＬＥＤ５ｂを点灯させる。そのため、照明器具１がコンセントに接続された状態で停電が発生すると、ＬＥＤ５ｂが自動点灯し、導光板１３の光取り出し部１３ａから放射された光が照射方向に照射される。ＬＥＤ５ｂの発光色は白色であるため、ハンディライトとして照明器具１を使用すると、視認性がよくなり、周囲の状況をより認識しやすくなる。
【００５４】
電池１２から供給される電力でＬＥＤ５ｂが点灯している状態で、点灯スイッチ８がオフ操作されると、制御回路７はスイッチＳＷ２をオフ状態にしてＬＥＤ５ｂを消灯させる。同様に、電池１２から供給される電力で動作している状態で点灯スイッチ８がオン操作されると、制御回路７は、スイッチＳＷ２をオン状態にしてＬＥＤ５ｂを点灯させて導光板１３の光取り出し部１３ａから光を放射させる。
【００５５】
ところで、制御回路７及び点灯回路６がそれぞれ商用電源１７から供給される電力で動作していても、例えば自然放電等により電池１２の残容量は徐々に低下する。電圧測定回路１４が出力する電池１２の電圧値が報知レベルである電圧値を下回ると、制御回路７は、電池１２の残容量が報知レベルである所定容量を下回ったと判断し、スイッチＳＷ３をオン状態にしてＬＥＤ９ａを点灯させる。ＬＥＤ９ａが点灯すると、ＬＥＤ９ａの光は透光窓９ｂを透過して器体２の上側から外部に放射される。使用者は、器体２の上側から見てＬＥＤ９ａの光を認識しやすいため、電池の残容量の低下を認識しやすくなり、内蔵している電池１２の電池交換が必要であることを把握できる。
【００５６】
照明器具１が電池１２から供給される電力で動作する場合でも、電池１２の出力電圧が報知レベルである電圧値を下回ると制御回路７がＬＥＤ９ａを点灯させてもよい。電池１２の電力消費をより抑えながらＬＥＤ９ａを点灯させるために、制御回路７は、例えばＬＥＤ９ａを所定期間点灯させた後にＬＥＤ９ａを消灯させたり、ＬＥＤ９ａを所定周期で点滅させたりしてもよい。
【００５７】
以上説明したように、本実施形態の照明器具１は、プラグ４と、点灯回路６と、点灯スイッチ８（操作部）と、明るさセンサ３ａ（照度変換部）と、制御回路７（制御部）と、スイッチング電源部１８とを備える。プラグ４は、商用電源１７のコンセントに着脱自在に接続される。点灯回路６は、照明負荷（ＬＥＤ５ａ，５ｂ）を点灯させる。点灯スイッチ８（操作部）は、照明負荷（ＬＥＤ５ａ）を点灯又は消灯させるために操作される。明るさセンサ３ａ（照度変換部）は、周囲の明るさに応じて出力の大きさが変化する。制御回路７（制御部）は、明るさセンサ３ａ（照度変換部）の出力から求めた明るさが所定値よりも暗くなると、コンセントからプラグ４を介して供給される電力で照明負荷（ＬＥＤ５ａ）を点灯させるように点灯回路６を制御する。制御回路７（制御部）は、点灯スイッチ８（操作部）を用いて点灯操作が行われると電池１２から供給される電力で照明負荷（ＬＥＤ５ｂ）を点灯させるように点灯回路６を制御する。スイッチング電源部１８は、コンセントからプラグ４を介して入力される電圧をスイッチングすることによって所定電圧値の直流電圧に変換し、点灯回路６及び制御回路７（制御部）に供給する。
【００５８】
スイッチング電源を有するスイッチング電源部１８が、商用電源１７からプラグ４を介して入力される電圧をスイッチングすることによって所定電圧値の直流電圧に変換する。そのため、入力電圧の許容範囲が広がり、点灯回路６及び制御回路７には所定電圧が印加されるから、点灯回路６及び制御回路７に加わるストレスを低減できる。
【００５９】
尚、本実施形態におけるスイッチング電源部１８は、フライバック・コンバータ方式のスイッチング電源で構成されているが、フライバック・コンバータ方式に限定する趣旨ではない。またスイッチング電源部１８は、２次コイル１８ｇの電圧値から検知される２次コイル１８ｄの電圧値に基づいて１次コイル１８ｃへの入力電圧をフィードバック制御することに限定される趣旨ではない。スイッチング電源部１８は、整流平滑回路１８ｅの出力電圧Ｖｄｃの電圧値に基づいて１次コイル１８ｃへの入力電圧をフィードバック制御してもよい。
【００６０】
本実施形態のスイッチング電源部１８は、２次コイル１８ｄの電圧値を検知して１次コイル１８ｃへの入力電圧をフィードバック制御するスイッチングＩＣ１８ａを備えているが、フィードバック制御を行わないスイッチング電源でもよい。つまりスイッチング電源部１８は、定格電圧の異なる商用電源から電力を供給されても所定電圧値の直流電圧を出力することができる適宜のスイッチング電源であればよい。
【００６１】
近年、一次電池の性能が向上し長寿命の一次電池が製品化されているので、本実施形態の照明器具１では、二次電池に比べて入手性の良好な一次電池を電池１２に採用している。ただし一次電池である電池１２を充電することはできないため、電池１２の残容量は自然放電等で徐々に低下する。そのため、電池１２の残容量が低下していることに使用者が気付かない可能性があり、ハンディライトとして照明器具１を使用する際に、照明器具１を十分に使用できない可能性がある。本実施形態の照明器具１は、点灯部９を点灯させて電池１２の残容量の低下を報知するので、使用者は電池１２の残容量の低下を認識しやすくなる。
【００６２】
本実施形態における点灯部９はＬＥＤ９ａ及び透光窓９ｂで構成されているが、器体２の上側から光が放射される構成であればよく、例えばサブ基板５１に実装された砲弾型のＬＥＤの先端部分が器体２の上側に露出していてもよい。
【００６３】
本実施形態における明るさセンサ３ａは、照度に応じて電流値が変化する素子で構成されているが、例えば照度に応じて抵抗値が変化するフォトレジスタ等でもよい。
【００６４】
本実施形態における照明負荷は２つのＬＥＤ５ａ，５ｂで構成されているが、ＬＥＤは２つに限定されず、１つでも３つ以上でもよく、また照明負荷の種類もＬＥＤに限定されない。また、本実施形態の制御回路７は、スイッチング電源部１８の２次側から供給される電力でＬＥＤ５ａを点灯させ、電池１２から供給される電力でＬＥＤ５ｂを点灯させるが、電力の供給源が変わると異なる照明負荷を点灯させることに限定される趣旨ではない。
【００６５】
本実施形態における電池１２は単三型の一次電池であるが、単三型以外の型式でもよいし、充電済みの二次電池（例えばニッケル・水素充電池等）でもよい。
【００６６】
本実施形態における電圧測定回路１４は、電池１２の残容量を検知するために出力電圧を測定しているが、出力電圧の測定に限定されず、電池の残容量を検知できる適宜の方法でよい。
【符号の説明】
【００６７】
１  照明器具
１０  メイン基板
１１  停電検知回路
１２  電池
１３  導光板
１４  電圧測定回路
１５  レギュレータ
１６  昇圧回路
１７  商用電源
１８  スイッチング電源部
１８ａ  スイッチングＩＣ
１８ｂ，１８ｅ  整流平滑回路
１８ｃ  １次コイル
１８ｄ，１８ｇ  ２次コイル
２  器体
２１  カバー
２２  ボディ
３１  切替スイッチ
３ａ  明るさセンサ（照度変換部）
４  プラグ
５ａ，５ｂ  ＬＥＤ（照明負荷）
５１  サブ基板
６  点灯回路
７  制御回路（制御部）
８  点灯スイッチ（操作部）
９  点灯部
９ａ  ＬＥＤ
ＳＮ１，ＳＮ２  信号
ＳＷ１〜ＳＷ３  スイッチ
【図１】
2015106508.tif 000003
【図２】
2015106508.tif 000004
【図３】
2015106508.tif 000005
【図４】
2015106508.tif 000006